(57)【要約】【課題】  内部に塵や埃などが侵入しにくいカラーチェンジャーおよびこのカラーチェンジャーを備える照明器具を提供する。【解決手段】  カラーチェンジャー４は、光源５からの光が通過する開口１７、この開口１７に設けられた入射側フィルタホルダ枠１８、出射側フィルタホルダ枠１９およびバンドア枠２０を有する本体１１と、本体１１内に収納され、単位カラーフィルター１２ａ，１２ｂ，１２ｃ…が開口１７を横切るように移動可能に設けられたカラーフィルター１２と、本体１１内に配設されたカラーフィルター１２の作動制御手段１３と、本体１１の入射側フィルタホルダ枠１８および出射側フィルタホルダ枠１９にそれぞれ装着される入射側フィルタホルダ１４および出射側フィルタホルダ１５と、バンドア枠２０に着脱されるバンドア１６とを具備している。【選択図】図３
2013077491.tif 000002
【特許請求の範囲】
【請求項１】
光源からの光が通過する開口、この開口の前記光の入射側に設けられた入射側フィルタホルダ枠、前記開口の前記光の出射側にそれぞれ設けられた出射側フィルタホルダ枠およびバンドア枠を有する本体と；
この本体内に収納され、複数色の単位カラーフィルターが帯状に連続して構成されるとともに、前記単位カラーフィルターが前記開口を横切るように移動可能に設けられたカラーフィルターと；
前記本体内に配設された前記カラーフィルターの作動制御手段と；
前記本体の入射側フィルタホルダ枠および出射側フィルタホルダ枠にそれぞれ装着される入射側フィルタホルダおよび出射側フィルタホルダと；
前記バンドア枠に着脱されるバンドアと；
を具備していることを特徴とするカラーチェンジャー。
【請求項２】
一端側に投光開口が設けられ、この投光開口から放射光が出射されるように光源が収納された器具本体と；
前記投光開口に対向するように前記器具本体の一端側に取り付けられ、前記バンドア枠にバンドアが装着された請求項１記載のカラーチェンジャーと；
を具備していることを特徴とする照明器具。
【発明の詳細な説明】
【技術分野】
【０００１】
本発明の実施形態は、舞台、スタジオ等の演出照明の色光を可変するカラーチェンジャーおよび照明器具に関する。
【背景技術】
【０００２】
この種のカラーチェンジャーは、照明器具の光源の前面側に設けられ、モータで駆動されるドラムにより透光性のカラーフィルターを巻き取りまたは巻き戻し可能として、光源からの光をカラーフィルターに透過させて透過光の色光を変化させている。そして、フォトセンサーなどの位置検出手段により、カラーフィルターに設けた検出片や位置決めマーカー等を検出して、モータの駆動を制御している。
【０００３】
そして、カラーフィルターは、着色されたポリエステル樹脂などで形成されるので、その巻き取りまたは巻き戻しにより静電気が発生して帯電しやすいことが知られている。この静電気除去用の除電器をカラーフィルターに近接または接触可能に設けるカラーチェンジャーが提案されている（例えば特許文献１参照。）。このカラーチェンジャーは、例えば位置決めマーカーからモータに放電する放電光によりフォトセンサーが誤動作することなどを回避している。
【０００４】
ところで、カラーチェンジャーは、光源からの光がカラーフィルターを介して通過する開口を有している。この開口から外部の塵や埃などがカラーチェンジャー内に侵入し、カラーフィルターやフォトセンサーに付着する。特に、カラーフィルターが静電気を帯電していると、塵や埃などが付着しやすいことが知られている。
【先行技術文献】
【特許文献】
【０００５】
【特許文献１】特開平１１−１４４５０４号公報（第２頁、第１図）
【発明の概要】
【発明が解決しようとする課題】
【０００６】
カラーチェンジャーは、静電気除去の除電器を備えていても、上記開口から塵や埃などが侵入し、カラーフィルターやフォトセンサーに付着する。カラーフィルターに塵や埃などが付着すると、カラーフィルターの透過率が低下するとともに、巻き取りや巻き戻しに不具合が発生して色ずれの原因になるという問題がある。また、フォトセンサーに塵や埃などが付着すると、カラーフィルターの位置検出ができなくなるおそれがある。
【０００７】
本実施形態は、内部に塵や埃などが侵入しにくいカラーチェンジャーおよびこのカラーチェンジャーを備える照明器具を提供することを目的とする。
【課題を解決するための手段】
【０００８】
本実施形態の照明器具は、本体、カラーフィルター、位置検出手段、入射側フィルタホルダ、出射側フィルタホルダおよびバンドアを有して構成される。
【０００９】
本体は、光源からの光が通過する開口、この開口の光源からの光が入射する入射側に設けられた入射側フィルタホルダ枠、開口の光源からの光が出射する出射側にそれぞれ設けられた出射側フィルタホルダ枠およびバンドア枠を有して形成される。
【００１０】
カラーフィルターは、複数色の単位カラーフィルターが帯状に連続して構成されている。そして、カラーフィルターは、本体内に収納され、単位カラーフィルターが開口を横切るように移動可能に設けられる。
【００１１】
作動制御手段は、カラーフィルターを作動させるものであり、本体内に設けられる。
【００１２】
入射側フィルタホルダおよび出射側フィルタホルダは、入射側フィルタホルダ枠および出射側フィルタホルダ枠にそれぞれ装着される。また、バンドアは、バンドア枠に着脱される。
【発明の効果】
【００１３】
本発明の実施形態によれば、カラーチェンジャーは、本体の開口の入射側および出射側にそれぞれ入射側フィルタホルダ枠および出射側フィルタホルダ枠が設けられていて、それらに入射側フィルタホルダおよび出射側フィルタホルダが装着されるので、本体内に外部から塵や埃などが侵入しにくくなり、これにより、カラーフィルターおよび作動制御手段に塵や埃などが付着しにくくなることが期待できる。
【図面の簡単な説明】
【００１４】
【図１】本発明の実施形態を示す照明器具の概略側面図である。
【図２】同じく、照明器具の概略正面図である。
【図３】同じく、カラーチェンジャーの分解概略斜視図である
【図４】同じく、カラーフィルターの一部展開図である。
【図５】同じく、位置検出手段の配設位置を示すカラーチェンジャーの概略模式図である。
【発明を実施するための形態】
【００１５】
以下、本発明の一実施の形態について、図面を参照して説明する。
【００１６】
本実施形態の照明器具１は、図１および図２に示すように構成され、カラーチェンジャーは、図３〜図５に示すように構成される。図１において、照明器具１は、スポットライトに構成され、器具本体２、支持アーム３およびカラーチェンジャー４を備えている。
【００１７】
器具本体２は、アルミニウム合金板からなり、一端側２ａが径大の略四角筒状に形成され、一端側２ａの端面に円形状の投光開口５（図２に示す。）が設けられ、内部に光源６を収納している。光源６は、ハロゲンランプや発光ダイオードからなり、投光開口５から放射光が出射されるように設けられている。投光開口５には、図２に示すように、ステンレス製メッシュ付きガラスフィルタ７が設けられている。
【００１８】
支持アーム３は、例えばアルミニウム合金からなり、略コ字形に形成され、図１に示すように、器具本体２の両側面２ｂ，２ｂ（図中、一方のみを示す。）に取り付けられている。そして、支持アーム３は、バンカー８を取り付けており、このバンカー８がスタジオ等に設けられているバトン９に引っ掛けられて固定されている。これにより、器具本体２は、バトン９に吊り下げられている。
【００１９】
そして、支持アーム３は、器具本体２を回動可能に支持しており、また、所望の位置で固定でき、器具本体２から出射される放射光の照射方向を変更できるようにしている。
【００２０】
カラーチェンジャー４は、器具本体２の一端側２ａに設けられた継ぎ手１０により、投光開口５に対向するように器具本体２の一端側２ａに取り付けられている。カラーチェンジャー４は、図３〜図５に示すように、本体１１、カラーフィルター１２、フォトセンサー１３、入射側フィルタホルダ１４、出力側フィルタホルダ１５およびバンドア１６を有して形成されている。フォトセンサー１３は、位置検出手段として作動制御手段の一部を構成している。
【００２１】
図３において、本体１１は、分解可能な略箱状に形成され、前面１１ａおよび背面１１ｂに貫通する円形の開口１７が設けられている。この開口１７は、カラーチェンジャー４が器具本体２に取り付けられたときに、投光開口５に正対して、光源６からの光が通過するものである。
【００２２】
そして、本体１１の背面１１ｂには、開口１７の光の入射側に入射側フィルタホルダ枠１８が設けられている。この入射側フィルタホルダ枠１８は、本体１１の内部に形成され、蓋１１ｃを開いた後、一方向（上方）からカラーフィルターホルダ１４が差し込まれて保持される枠体に形成されている。
【００２３】
また、本体１１の前面１１ａには、開口１７の光の出射側に出射側フィルタホルダ枠１９およびバンドア枠２０がそれぞれ設けられている。出射側フィルタホルダ枠１９およびバンドア枠２０は、それぞれ一方向（上方）から出射側フィルタホルダ１５およびバンドア１６が挿入されて保持される２重枠体に形成されていて、複数個のビス２１により本体１１の前面１１ａに取り付けられている。
【００２４】
カラーフィルター１２は、着色された透明なフィルムであり、図４に示すように、その長手方向に複数の色が区分けされて単位カラーフィルター１２ａ，１２ｂ，１２ｃ，…を構成している。この単位カラーフィルター１２ａ，１２ｂ，１２ｃ，…は、連続してつながって帯状をなしている。単位カラーフィルター１２ａ，１２ｂ，１２ｃ，…は、例えば、透過光を赤色にする赤色部、緑色にする緑色部、青色にする青色部及び透過光をそのまま透過させる透明部等を必要に応じて選択し、本実施形態では、例えば２４色２４枚が連結している。これら、単位カラーフィルター１２ａ，１２ｂ，１２ｃ，…の相互の境界は、継ぎ目２２によって継ぎ合わされている。そして、後述の回転ドラム２３に接続される始端側の単位カラーフィルター１２ａ、すなわち、第１色目の単位カラーフィルター１２ａには、上方に検出孔２４が設けられている。
【００２５】
そして、カラーフィルター１２は、図５に示すように、本体１１内に収納され、本体１１内に配設された回転ドラム２３，２３に接続されている。この回転ドラム２３，２３は、作動制御手段である図示しないモータに連結されている。帯状のカラーフィルター１２は、その両端側がそれぞれ回転ドラム２３，２３に接続されている。そして、カラーフィルター１２は、モータの駆動に応じて回転ドラム２３に巻き取られ、巻き戻しされるようになっている。すなわち、カラーフィルター１２は、本体１１の開口１７を横切るように移動可能に設けられている。
【００２６】
位置検出手段（作動制御手段）としてのフォトセンサー１３は、一対からなり、カラーフィルター１２を挟むようにして本体１１内に配設されている。一対のフォトセンサー１３，１３は、それぞれ発光素子および受光素子を有してなる。そして、第１色目の単位カラーフィルター１２ａに設けられた検出孔２４を通過する例えば赤外線を検出することにより、カラーフィルター１２の位置を検出する。すなわち、単位カラーフィルター１２ａは、カラーフィルター１２の原点位置となる。
【００２７】
そして、外部の図示しない制御装置から所定の色の単位カラーフィルター１２ａ，１２ｂ，１２ｃ，…の選択信号がカラーチェンジャー４に送られると、カラーチェンジャー４は、単位カラーフィルター１２ａを原点位置として、この原点位置より選択された単位カラーフィルター１２ａ，１２ｂ，１２ｃ，…までの位置を計算し、移動距離を算出して、この算出結果に基づいてモータを駆動する。そして、モータの駆動停止により、所定の色の単位カラーフィルター１２ａ，１２ｂ，１２ｃ，…が本体１１の開口１７の位置に停留する。これにより、開口１７から選択された所望の光色の光が出射される。
【００２８】
図３において、入射側フィルタホルダ１４および出力側フィルタホルダ１５は、それぞれ入射側フィルタホルダ枠１８および出力側フィルタホルダ枠１９に装着される略正四角形の枠体に形成されている。そして、入射側フィルタホルダ１４および出力側フィルタホルダ１５は、それぞれフィルタ１４ａおよびフィルタ１５ｂを収納している。そして、入射側フィルタホルダ１４および出力側フィルタホルダ１５は、それぞれ入射側フィルタホルダ枠１８および出力側フィルタホルダ枠１９に装着されている。
【００２９】
本体１１内のカラーフィルター１２によって、開口１７から所望の光色の光が出射するときには、フィルタ１４ａおよびフィルタ１５ｂは、それぞれ透過光をそのまま通過させる無色のものが用いられる。また、カラーフィルター１２によって、開口１７から所望の光色の光が出射することができないときには、フィルタ１４ａおよびフィルタ１５ｂは、それぞれ透過光を所望の光色に変換するものが用いられる。
【００３０】
バンドア１６は、バンドア枠２０に差し込まれるバンドア本体２５、このバンドア本体２５に取り付けられた羽取付け体２６および４個の羽２７ａ，２７ｂを有して形成されている。バンドア本体２５は、バンドア枠２１に差込み可能なリング体に形成されている。羽取付け体２６は、略正四角形の枠体に形成され、図２に示すように、連結具２８およびねじ２９により、羽２７ａ，２７ｂを回動可能に取り付けている。
【００３１】
羽２７ａは、矩形状の平板に形成されて、羽取付け体２６の図中上下の位置に取り付けられている。また、羽２７ｂは、先細り状の平板に形成され、羽取付け体２６の図中左右の位置に取り付けられている。各羽２７ａ，２７ｂを展開してバンドア１６の先端側の開口面積を調整することにより、本体１１の開口１７から出射される放射光の照射範囲を可変できるようにしている。バンドア１６は、必要に応じてバンドア枠２０に着脱される。  
【００３２】
次に、本実施形態の作用について述べる。
【００３３】
照明器具１は、器具本体２内に収納された光源６からの光が投光開口５から出射され、カラーチェンジャー４の入力側フィルタホルダ１４、本体１１の開口１７を横切るカラーフィルター１２および出力側フィルタホルダ１５を通過して出射される。そして、カラーフィルター１２において、所定の色の単位カラーフィルター１２ａ，１２ｂ，１２ｃ，…を選択することにより、カラーチェンジャー４の開口１７から選択された所望の光色の光が出射される。このとき、入力側フィルタホルダ１４および出力側フィルタホルダ１５は、それぞれ光色を変換しない無色のフィルタ１４ａ，１４ｂを収納している。
【００３４】
カラーフィルター１２において、所望の光色の光に変換する単位カラーフィルター１２ａ，１２ｂ，１２ｃ，…が存在しないときには、透明部の単位カラーフィルター１２ａ，１２ｂ，１２ｃ，…を選択し、入力側フィルタホルダ１４および出力側フィルタホルダ１５を所望の光色の光に変換するものに交換する。これにより、カラーチェンジャー４の開口１７から選択された所望の光色の光が出射される。
【００３５】
そして、カラーチェンジャー４の開口１７から出射される光は、バンドア１６の各羽２７ａ，２７ｂを展開して調整することにより、その照射範囲が可変される。
【００３６】
そして、入力側フィルタホルダ１４および出力側フィルタホルダ１５は、カラーチェンジャー４の本体１１の開口１７をそれぞれ本体１１の背面１１ｂ側および前面１１ａ側から略閉塞している。これにより、本体１１内に塵や埃などが侵入しにくくなっている。
【００３７】
本実施形態の照明器具１およびカラーチェンジャー４によれば、カラーチェンジャー４の本体１１の開口１７の入射側および出射側にそれぞれ入射側フィルタホルダ１４および出射側フィルタホルダ１５が装着されているので、本体１１内に開口１７を介して外部から塵や埃などが侵入しにくくなり、カラーフィルター１２およびフォトセンサー１３，１３に塵や埃などを付着しにくくすることができる。したがって、塵や埃などが付着することによるカラーフィルター１２の透過率の低下や色ずれを抑制でき、フォトセンサー１３，１３の不検出などの不具合を抑制できるという効果を有する。
【００３８】
また、カラーフィルター１２において、所望の光色の光に変換する単位カラーフィルター１２ａ，１２ｂ，１２ｃ，…が存在しないときには、入力側フィルタホルダ１４および出力側フィルタホルダ１５を交換することによって、カラーチェンジャー４の開口１７から所望の光色の光を出射することができるので、選択される光色の汎用性が向上するという効果を有する。
【符号の説明】
【００３９】
１…照明器具、  ２…器具本体、  ４…カラーチェンジャー、  ５…投光開口、６…光源、１１…本体、  １２…カラーフィルター、  １２ａ，１２ｂ，１２ｃ…単位カラーフィルター、  １３…作動制御手段としてのフォトセンサー、  １４…入射側フィルタホルダ、  １５…出射側フィルタホルダ、  １６…バンドア、  １７…開口、１８…入射側フィルタホルダ枠、  １９…出射側フィルタホルダ枠、  ２０…バンドア枠
【図１】
2013077491.tif 000003
【図２】
2013077491.tif 000004
【図３】
2013077491.tif 000005
【図４】
2013077491.tif 000006
【図５】
2013077491.tif 000007